(57)【要約】【課題】透析装置等に用いられる濾過フィルタをホルダに確実かつ簡便に接続することができるようにする。【解決手段】ホルダ１は濾過フィルタＦの流入管部Ｆ１１及び流出管部Ｆ１２がそれぞれ接続される流入側接続部４０及び流出側接続部５０を備え、濾過フィルタＦの流入管部Ｆ１１及び流出管部Ｆ１２の外周面にそれぞれ形成された流入側環状溝Ｆ１１ａ及び流出側環状溝Ｆ１２ａに、流入側接続部４０及び流出側接続部５０のロック用ボール４３４，５３４がそれぞれ係合するようになっている。そして、このロック用ボール４３４，５３４の係合位置から非係合位置への移動を規制するためのロック筒４４，５４が、接続作業時に濾過フィルタＦが流入側接続部４０及び流出側接続部５０に作用する力によって、ロック解除位置からロック位置に移動する。【選択図】図５
2015188667.tif 000002
【特許請求の範囲】
【請求項１】
濾過材（Ｆ４）を収容する筒状のハウジング（Ｆ１）を備える濾過フィルタ（Ｆ）を保持するための濾過フィルタ用ホルダであって、
ホルダ本体（１０）と、
上記ハウジング（Ｆ１）の内部と外部との間で液体が流通する複数の流通管部（Ｆ１１，Ｆ１２）がそれぞれ接続される複数の接続部（４０，５０）と、を備え、
上記複数の接続部（４０，５０）は、
上記流通管部（Ｆ１１，Ｆ１２）が挿入される挿入筒（４３，５３）と、
上記挿入筒（４３，５３）の壁を貫通する係合部材収容孔（４３３ｂ）に収容されるとともに、上記挿入筒（４３，５３）の内周面から該挿入筒（４３，５３）の径方向内側に突出して上記流通管部（Ｆ１１，Ｆ１２）の外周面に形成されたロック用凹部（Ｆ１１ａ，Ｆ１２ａ）に係合する係合位置と、該係合位置よりも上記挿入筒（４３，５３）の径方向外側に配置され、上記ロック用凹部（Ｆ１１ａ，Ｆ１２ａ）に係合しない非係合位置との間で、上記挿入筒（４３，５３）の径方向に移動する係合部材（４３４，５３４）と、
上記係合部材（４３４，５３４）を上記係合位置に固定するロック位置と、上記係合部材（４３４，５３４）の上記係合位置から上記非係合位置への移動を許容するロック解除位置との間で、上記挿入筒（４３，５３）の軸方向に移動するロック部材（４４，５４）と、
上記流通管部（Ｆ１１，Ｆ１２）の上記挿入筒（４３，５３）への挿入時に、上記濾過フィルタ（Ｆ）に当接されて上記ロック部材（４４，５４）を上記ロック解除位置から上記ロック位置へと切り替える切替部材（４５，５５）と、
をそれぞれ備え、
上記複数の切替部材（４５，５５）は、上記複数の流通管部（Ｆ１１，Ｆ１２）がそれぞれ上記複数の挿入筒（４３，５３）に挿入される時に、上記濾過フィルタ（Ｆ）が上記複数の切替部材（４５，５５）に作用する力によって、上記複数のロック部材（４４，５４）をそれぞれ上記ロック解除位置から上記ロック位置へと切り替え、上記複数の流通管部（Ｆ１１，Ｆ１２）をそれぞれ上記複数の接続部（４０，５０）に同時接続させることを特徴とする濾過フィルタ用ホルダ。
【請求項２】
請求項１において、
上記接続部（４０，５０）は、弾性変形することによって、上記ロック部材（４４，５４）に対する上記切替部材（４５，５５）の、上記挿入筒（４３，５３）の軸方向における相対的な移動を許容する弾性部材（４８，５８）を備え、
上記弾性部材（４８，５８）は、上記流通管部（Ｆ１１，Ｆ１２）の上記挿入筒（４３，５３）への挿入時に、上記ロック用凹部（Ｆ１１ａ，Ｆ１２ａ）が上記係合部材（４３４，５３４）に対応する挿入位置となるまで、上記ロック部材（４４，５４）を上記ロック解除位置に留めた状態で、上記ロック部材（４４，５４）に対する上記切替部材（４５，５５）の相対的な移動を許容することを特徴とする濾過フィルタ用ホルダ。
【請求項３】
請求項１又は２において、
上記ロック位置にある上記ロック部材（４４，５４）を上記ロック解除位置に向けて押圧するロック解除部材（６４，６５）を備えることを特徴とする濾過フィルタ用ホルダ。
【請求項４】
請求項３において、
上記複数の接続部（４０，５０）にそれぞれ備えられた上記複数のロック部材（４４，５４）を押圧する複数の上記ロック解除部材（６４，６５）を互いに連結する連結部材（６１，６２，６３）と、
上記連結部材（６１，６２，６３）を作業者が操作する操作部（３１）と、
を備えることを特徴とする濾過フィルタ用ホルダ。
【請求項５】
請求項１〜４のいずれか１つにおいて、
上記切替部材（４５，５５）は、上記ホルダ本体（１０）側から上記濾過フィルタ（Ｆ）側に延びる切替筒（４５，５５）であり、
上記切替筒（４５，５５）には、上記濾過フィルタ（Ｆ）に当接するヘッド部（４６，５６）が上記濾過フィルタ（Ｆ）側に突出するように設けられ、
上記切替筒（４５，５５）は、該切替筒（４５，５５）の上記濾過フィルタ（Ｆ）側の端面のうち、上記ヘッド部（４６，５６）から上記切替筒（４５，５５）の周方向に離れた部分に、上記ヘッド部（４６，５６）が上記濾過フィルタ（Ｆ）に当接したときに、上記濾過フィルタ（Ｆ）に当接する当接部（４５２ａ）を有していることを特徴とする濾過フィルタ用ホルダ。
【発明の詳細な説明】
【技術分野】
【０００１】
本発明は、例えば透析装置に取り付ける精密濾過フィルタ等を保持するための濾過フィルタ用ホルダに関するものである。
【背景技術】
【０００２】
透析装置には、ダイアライザに供給される前の原水を濾過する濾過フィルタが接続されている場合がある。濾過フィルタは、筒状のハウジングに濾過材が収容されたものであり、ハウジングには、ハウジング内に液体を流入させる流入用の流通管部と、ハウジング内から液体を流出させる流出用の流通管部とが、ハウジングの長手方向の両端側に設けられている。この濾過フィルタは、従来、ダイアライザのハウジングを流用して使用される場合が多く、例えば特許文献１に開示されるようなダイアライザ用のカプラが流通管部に接続され、該カプラを介して濾過フィルタが透析装置等に接続されて使用されている。
【０００３】
特許文献１のカプラは、濾過フィルタの流通管部をカプラに接続するボールロック機構を備えている。このボールロック機構は、ロック用ボールと、このロック用ボールのロック操作を行うためのスリーブ（ロック筒）と、スリーブをカプラの先端側（ロック位置側）に付勢するコイルスプリングとを備えている。
【０００４】
また、特許文献２、３には、流入用の流通管部及び流出用の流通管部が接続されることで、濾過フィルタを保持するホルダが開示されている。
【０００５】
特許文献２では、濾過フィルタの上部及び下部にそれぞれ上側連結部及び下側連結部が設けられており、ホルダの上側に濾過フィルタの上側連結部をロックする上側ロックレバーが設けられ、ホルダの下側に濾過フィルタの下側連結部をロックする下側ロックレバーが設けられている。
【０００６】
特許文献３のホルダも、上側及び下側にそれぞれロックレバーが設けられている。
【先行技術文献】
【特許文献】
【０００７】
【特許文献１】特開平９−５１９４５号公報（特に段落[０００２]〜[０００５]）
【特許文献２】特開平１１−７０１６４号公報
【特許文献３】特許第３９２３８４５号公報
【発明の概要】
【発明が解決しようとする課題】
【０００８】
特許文献１のカプラに流通管部を接続する場合、まず先端側に付勢されているスリーブをコイルスプリングの付勢力に抗して基端側（ロック解除位置側）に後退させ、ロック用ボールのロックを解除した状態で、カプラに接続する流通管部をカプラの先端側から挿入した後、スリーブを後退させていた手を放して、コイルスプリングの付勢力によりスリーブを前進させ、ロック用ボールをロックするという一連の作業が必要となる。したがって、流通管部の接続作業が煩雑で手間がかかるという問題がある。また、スリーブを前進させる力はコイルスプリングの付勢力だけなので、ロックが確実になされるかどうかは不明であり、仮に流通管部がカプラの途中までしか挿入されていない場合には、流通管部を確実にロックすることができない。この状態で、作業者がロックできていないことに気付かずに濾過フィルタを使用すると、漏水が起こる虞れがある。
【０００９】
また、特許文献２、３のホルダはいずれも、濾過フィルタをホルダに保持する場合、まず濾過フィルタをホルダの取付位置に取り付けた後、上側及び下側ロックレバーを操作してロックしなければならない。したがって、濾過フィルタをホルダに保持するために、濾過フィルタの操作とレバーの操作の両方を行わなければならないため、作業が煩雑で手間がかかるという問題がある。
【００１０】
本発明はかかる点に鑑みてなされたものであり、その目的は、濾過フィルタをホルダに確実かつ簡便に保持できるようにすることにある。
【課題を解決するための手段】
【００１１】
上記の目的を達成するために、この発明では、濾過フィルタの流通管部に形成されたロック用凹部に係合する係合部材と、係合部材を係合位置に固定するためのロック部材とを備え、流通管部の接続作業時に接続部に作用する力によって、ロック部材をロック解除位置からロック位置に移動させるようにした。
【００１２】
第１の発明は、
濾過材を収容する筒状のハウジングを備える濾過フィルタを保持するための濾過フィルタ用ホルダであって、
ホルダ本体と、
上記ハウジングの内部と外部との間で液体が流通する複数の流通管部がそれぞれ接続される複数の接続部と、を備え、
上記複数の接続部は、
上記流通管部が挿入される挿入筒と、
上記挿入筒の壁を貫通する係合部材収容孔に収容されるとともに、上記挿入筒の内周面から該挿入筒の径方向内側に突出して上記流通管部の外周面に形成されたロック用凹部に係合する係合位置と、該係合位置よりも上記挿入筒の径方向外側に配置され、上記ロック用凹部に係合しない非係合位置との間で、上記挿入筒の径方向に移動する係合部材と、
上記係合部材を上記係合位置に固定するロック位置と、上記係合部材の上記係合位置から上記非係合位置への移動を許容するロック解除位置との間で、上記挿入筒の軸方向に移動するロック部材と、
上記流通管部の上記挿入筒への挿入時に、上記濾過フィルタに当接されて上記ロック部材を上記ロック解除位置から上記ロック位置へと切り替える切替部材と、
をそれぞれ備え、
上記複数の切替部材は、上記複数の流通管部がそれぞれ上記複数の挿入筒に挿入される時に、上記濾過フィルタが上記複数の切替部材に作用する力によって、上記複数のロック部材をそれぞれ上記ロック解除位置から上記ロック位置へと切り替え、上記複数の流通管部をそれぞれ上記複数の接続部に同時接続させることを特徴とする。
【００１３】
この構成によれば、流通管部を挿入筒に挿入すると、濾過フィルタが切替部材に当接して切替部材が挿入筒の軸方向へ移動する。このとき、濾過フィルタが切替部材に作用する力によって、ロック部材はロック位置へ移動する。同時に、係合部材が挿入筒の内周面から挿入筒の径方向内側に突出し、流通管部の外周面に形成されたロック用凹部に係合する係合位置に固定されて、係合部材がロック用凹部に係合する。これらの作用は、複数の接続部で同時に起こっているため、複数の流通管部がそれぞれ複数の接続部に同時に接続され、濾過フィルタがホルダに確実かつ簡便に保持される。
【００１４】
第２の発明は、第１の発明において、
上記接続部は、弾性変形することによって、上記ロック部材に対する上記切替部材の、上記挿入筒の軸方向における相対的な移動を許容する弾性部材を備え、
上記弾性部材は、上記流通管部の上記挿入筒への挿入時に、上記ロック用凹部が上記係合部材に対応する挿入位置となるまで、上記ロック部材を上記ロック解除位置に留めた状態で、上記ロック部材に対する上記切替部材の相対的な移動を許容することを特徴とする。
【００１５】
この構成によれば、弾性部材により、切替部材がロック部材に対して相対的に移動することが許容されているため、流通管部の挿入筒への挿入時に、ロック部材がロック解除位置に留められた状態で、濾過フィルタが切替部材に作用する力によって、切替部材が挿入筒の軸方向に移動して、弾性部材に弾性力が蓄えられる。さらに流通管部を挿入筒の奥側に挿入し、ロック用凹部が係合部材に対応する挿入位置になると、係合部材がロック用凹部に係合することが可能となり、係合部材がロック用凹部に係合すれば、ロック解除位置に留められていたロック部材がロック位置に移動することが可能となる。したがって、弾性部材に蓄えられた弾性力が解放されることにより、ロック部材がロック解除位置からロック位置に移動するとともに、係合部材がロック用凹部に係合して係合位置に固定される。この結果、流通管部が接続部に接続され、濾過フィルタがホルダに保持される。
【００１６】
第３の発明は、第１又は第２の発明において、
上記ロック位置にある上記ロック部材を上記ロック解除位置に向けて押圧するロック解除部材を備えることを特徴とする。
【００１７】
この構成によれば、流通管部と接続部との接続を解除する場合、まずロック解除部材がロック位置にあるロック部材を押圧してロック解除位置に移動させる。この状態では、係合部材が係合位置から非係合位置に移動することが許容されているため、流通管部を挿入筒から抜ける方向に移動させることで、係合部材が非係合位置に移動して、係合部材とロック用凹部との係合が解除される。したがって、流通管部と接続部との接続が解除されて、濾過フィルタがホルダから分離される。
【００１８】
第４の発明は、第３の発明において、
上記複数の接続部にそれぞれ備えられた上記複数のロック部材を押圧する複数の上記ロック解除部材を互いに連結する連結部材と、
上記連結部材を作業者が操作する操作部と、
を備えることを特徴とする。
【００１９】
この構成によれば、作業者が操作部によって連結部材を操作することにより、連結部材によって連結された複数のロック解除部材がロック位置にある複数のロック部材をそれぞれロック解除位置に向けて押圧し、ロック位置からロック解除位置に移動させることが可能である。
【００２０】
第５の発明は、第１〜第４のいずれか１つの発明において、
上記切替部材は、上記ホルダ本体側から上記濾過フィルタ側に延びる切替筒であり、
上記切替筒には、上記濾過フィルタに当接するヘッド部が上記濾過フィルタ側に突出するように設けられ、
上記切替筒は、該切替筒の上記濾過フィルタ側の端面のうち、上記ヘッド部から上記切替筒の周方向に離れた部分に、上記ヘッド部が上記濾過フィルタに当接したときに、上記濾過フィルタに当接する当接部を有していることを特徴とする。
【００２１】
この構成によれば、流通管部の挿入筒への挿入時に、切替筒の周方向に離れたヘッド部と当接部とが濾過フィルタに当接して濾過フィルタからの力を受けるため、切替筒が安定して挿入筒の軸方向へ移動する。
【発明の効果】
【００２２】
第１の発明によれば、複数の流通管部がそれぞれ複数の挿入筒に挿入される時に濾過フィルタが複数の切替部材に作用する力によって、複数のロック部材がそれぞれ、ロック解除位置からロック位置に移動するので、カプラを両手で操作することやロックレバーの操作等の煩雑な作業をすることなく、濾過フィルタをホルダに確実かつ簡便に保持することができる。
【００２３】
第２の発明によれば、切替部材に対するロック部材の相対的な移動を許容する弾性部材を接続部に設けたので、流通管部及び接続部の寸法に誤差があっても、流通管部を接続部にスムーズに接続できる。
【００２４】
第３の発明によれば、ロック位置にあるロック部材をロック解除位置に向けて押圧するロック解除部材を設けたので、濾過フィルタをホルダから簡便に分離することができる。
【００２５】
第４の発明によれば、複数のロック解除部材を互いに連結する連結部材を設け、作業者が連結部材を操作部で操作できるようにしたので、操作部を操作するだけで、複数の接続部と流通管部との接続を解除し、濾過フィルタをホルダから分離することができる。
【００２６】
第５の発明によれば、切替筒の周方向に離れたヘッド部及び当接部が濾過フィルタの外周面に当接するので、切替筒が安定して流通管部の挿入方向へ移動して、ロック部材にロック解除位置からロック位置へ移動するための力を伝えることができる。
【図面の簡単な説明】
【００２７】
【図１】図１は、濾過フィルタの側面図である。
【図２】図２は、濾過フィルタの縦断面図である。
【図３】図３は、本発明の実施形態に係るホルダの正面図である。
【図４】図４は、実施形態に係るホルダの側面図である。
【図５】図５は、図３のＶ−Ｖ断面図である。
【図６】図６は、図５の流入側接続部を拡大した図である。
【図７】図７は、濾過フィルタがホルダに保持される前の状態を示す側面図である。
【図８】図８は、濾過フィルタがホルダに保持される前の状態を示す図６相当図である。
【図９】図９は、流入管部の先端が流入側接続部に挿入された状態を示す図８相当図である。
【図１０】図１０は、ロック用ボールが流入側環状溝に係合する直前の状態を示す図８相当図である。
【図１１】図１１は、濾過フィルタがホルダに保持された状態を示す図８相当図である。
【図１２】図１２は、流入側連結板により流入側ロック解除ピンが濾過フィルタ側に押圧された状態を示す図５相当図である。
【図１３】図１３は、流入側ロック解除ピンに押圧されたロック筒がロック解除位置に移動した状態を示す図８相当図である。
【図１４】図１４は、流入管部が挿入筒から抜けている途中の状態を示す図８相当図である。
【図１５】図１５は、濾過フィルタがホルダから分離された状態を示す図８相当図である。
【発明を実施するための形態】
【００２８】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００２９】
本発明の実施形態に係るホルダ１は、例えば図１及び図２に示すような濾過フィルタＦを保持するためのものである。この濾過フィルタＦは透析治療時において、外部から供給される水道水等の原水（液体）を精密濾過できるように構成された周知のものであり、濾過後の純水に電解質等が添加されて、透析液としてダイアライザ（図示せず）に供給される。濾過フィルタＦは中心線方向に延びる筒状のハウジングＦ１を備え、ハウジングＦ１の長手方向が上下方向となる姿勢で使用される。
【００３０】
以下の説明では、ハウジングＦ１の長手方向が上下方向となった状態を基準として、「上側」とは図１における上側を示し、「下側」とは図１における下側を示し、「前側」とは図１における左側を示し、「後側」とは図１における右側を示している。
【００３１】
ハウジングＦ１の上端面及び下端面は上側蓋部材Ｆ２及び下側蓋部材Ｆ３でそれぞれ覆われている。図２に示すように、上側蓋部材Ｆ２には、濾過後の純水を流出させることのできる上管部Ｆ２１が、上側に突出するように一体に設けられている。また、下側蓋部材Ｆ３には、濾過後の純水を流出させることのできる下管部Ｆ３１が、下側に突出するように一体に設けられている。上管部Ｆ２１及び下管部Ｆ３１には、濾過フィルタＦ内部の汚染を防ぐためのキャップＦｃが液密に取り付けられている。濾過フィルタＦの上側蓋部材Ｆ２及び下側蓋部材Ｆ３の外径は、ハウジングＦ１の上下方向中央部の外径よりも大きくなっている。
【００３２】
ハウジングＦ１内には複数の中空糸膜Ｆ４（濾過材）が収容されている。中空糸膜Ｆ４は、膜の厚み方向に極微小な孔が形成された半透膜である。中空糸膜Ｆ４の両端部は封止剤により固着されて各端部が揃うように束ねられており、中空糸膜Ｆ４内部の空間と上管部Ｆ２１及び下管部Ｆ３１の内部の空間が連通している。
【００３３】
ハウジングＦ１は、ハウジングＦ１内に原水を流入させる流入管部Ｆ１１（流通管部）と、ハウジングＦ１外に原水を流出させる流出管部Ｆ１２（流通管部）とを備え、流入管部Ｆ１１はハウジングＦ１の外周面の下部から後方に向かって突出し、流出管部Ｆ１２はハウジングＦ１の外周面の上部から後方に向かって突出している。
【００３４】
以下の説明では、流入管部Ｆ１１及び流出管部Ｆ１２について、「先端側」とは流入管部Ｆ１１及び流出管部Ｆ１２の先端側（図１及び図２における右側）を示し、「基端側」とは流入管部Ｆ１１及び流出管部Ｆ１２の基端側（図１及び図２における左側）を示している。
【００３５】
流入管部Ｆ１１の外周面には、後述するホルダ１の流入側接続部４０のロック用ボール４３４（係合部材）が係合するための流入側環状溝Ｆ１１ａ（ロック用凹部）が、流入管部Ｆ１１の軸方向における中央近傍に形成されており、流入側環状溝Ｆ１１ａよりも先端側の外周面には、軸方向に沿って平坦な流入側環状平坦部Ｆ１１ｂが設けられている。流入側環状平坦部Ｆ１１ｂよりも先端側では、流入管部Ｆ１１の外径は小径であって、この小径部の形成に対応して、流入側段部Ｆ１１ｃが形成されている。
【００３６】
流出管部Ｆ１２の外周面にも同様に、流出側接続部５０のロック用ボール５３４（係合部材）が係合するための流出側環状溝Ｆ１２ａ（ロック用凹部）が、流出管部Ｆ１２の軸方向における中央近傍に形成されており、流出側環状溝Ｆ１２ａよりも先端側の外周面には、軸方向に沿って平坦な流出側環状平坦部Ｆ１２ｂが設けられている。流出側環状平坦部Ｆ１２ｂよりも先端側では、流出管部Ｆ１２の外径は小径であって、この小径部の形成に対応して、流出側段部Ｆ１２ｃが形成されている。
【００３７】
流入管部Ｆ１１からハウジングＦ１内に流入した原水のうち、中空糸膜Ｆ４を通過した濾過後の純水は、中空糸膜Ｆ４内部を通って上管部Ｆ２１から流出し、中空糸膜Ｆ４を通過しない原水は流出管部Ｆ１２からハウジングＦ１外に流出するように構成されている。
【００３８】
図３〜図５は、上記濾過フィルタＦを保持するためのホルダ１を示す。ホルダ１は、例えば透析装置の側面等（図示せず）に取り付けられて使用される。このホルダ１は、屈曲した板状のホルダ本体１０と、ホルダ本体１０の一部を覆うカバー部２０と、作業者が操作するノブ３１（操作部）と、濾過フィルタＦの流入管部Ｆ１１が接続される流入側接続部４０と、流出管部Ｆ１２が接続される流出側接続部５０と、を備える。
【００３９】
ホルダ１には、例えば透析装置（図示せず）の側面等に取り付けるための掛止部（図示せず）が設けられ、ホルダ本体１０の長手方向が上下方向になるように、透析装置の側面等に取り付けられて使用される。以下の説明では、ホルダ本体１０の長手方向が上下方向となった状態を基準として、「上側」とは図３における上側を示し、「下側」とは図３における下側を示し、「右側」とは図３における右側を示し、「左側」とは図３における左側を示し、「前側」とは図４における左側を示し、「後側」とは図４における右側を示している。
【００４０】
ホルダ本体１０は、前側に位置する前板部１１と、前板部１１の右縁部から後方に延びる右板部１２と、前板部１１の左縁部から後方に延びる左板部１３とを備え、図４に示すように、右板部１２及び左板部１３の上部と下部は切り欠かれている。図５に示すように、ホルダ本体１０の上部及び下部にはそれぞれ、上板部１４及び下板部１５が、前板部１１、右板部１２及び左板部１３に垂直になるように取り付けられている。
【００４１】
カバー部２０は、ホルダ本体１０の上下方向中央部を後側から覆うように取り付けられている。カバー部２０は、左右方向両端部が前方に屈曲した板状の部材であり、カバー部２０の左右の板が、ホルダ本体１０の右板部１２及び左板部１３に、ねじ等の締結部材２１によって取り付けられている。
【００４２】
図３及び図４に示すように、ホルダ本体１０の右板部１２の右側には、上下方向中央部に、作業者が回動操作可能な円板状のノブ３１が取り付けられている。図４に示すように、ノブ３１の直径は、ホルダ本体１０の右板部１２の上下方向中央部における前後方向の幅よりも若干大きく設定されている。また、図３に示すように、ノブ３１の外周面には滑り止めとして、厚み方向に延びる複数の溝が形成されている。このノブ３１には、ホルダ本体１０の右板部１２を貫通する四角柱状の回動軸３２（図５に示す）が回動一体に連結されている。回動軸３２は、右板部１２を垂直に貫通して、ホルダ本体１０の右板部１２と左板部１３との間の中央近傍まで、左右方向に延びている。回動軸３２におけるノブ３１と逆側の端部（左端部）には、図５に示すように、円板状の偏心カム３３が連結されている。偏心カム３３は、ホルダ本体１０の右板部１２と平行になるように、回動軸３２に回動一体に連結されており、偏心カム３３の中心からずれた位置に、回動軸３２が固定されている。偏心カム３３の外周面は、後述する連結棒６１（連結部材）に後方から当接し、連結棒６１を前方に押圧して移動させることができるようになっている。
【００４３】
前板部１１の上下方向中央部の後面には、連結棒６１を後方に押圧する圧縮ばね３４が、後方に突出するように取り付けられている。この圧縮ばね３４が連結棒６１を後方に押圧して移動させることで、連結棒６１に当接している偏心カム３３の外周面も後方に押圧されるため、作業者がノブ３１を回動操作していない通常の状態（図５に示す）では、回動軸３２が偏心カム３３の中心よりも前側に位置するように、偏心カム３３が回動して停止している。
【００４４】
図３〜図５に示すように、流入側接続部４０は、ホルダ本体１０の下部を前後方向に貫通して設けられている。また、流出側接続部５０は、ホルダ本体１０の上部を前後方向に貫通して設けられている。
【００４５】
図６に、流入側接続部４０の拡大図を示す。尚、以下の説明では、流入側接続部４０について説明するが、流出側接続部５０については、流入側接続部４０と上下対称であることを除けば同様の構成であることから、その詳細な説明は省略する。
【００４６】
流入側接続部４０は、ホルダ本体１０の前板部１１から前方に突出した円筒状のケーシング４１と、ケーシング４１内に大部分が収容されるワンタッチロック機構４２とを備える。
【００４７】
以下のホルダ１に関する説明では、特に断らない限り、「軸方向」、「径方向」及び「周方向」の各方向は、ケーシング４１を基準として定めている。すなわち、「軸方向」とはケーシング４１の中心軸線に沿った方向を示し、「径方向」とはケーシング４１の中心軸線に対して直交する方向を示し、「周方向」とはケーシング４１の中心軸線周りの周回方向を示している。また、「先端側」とはケーシング４１の前側（図６における左側）を示し、「基端側」とはケーシング４１の後側（図６における右側）を示している。
【００４８】
ケーシング４１の基端部は、ホルダ本体１０の前板部１１に対して、ワンタッチロック機構４２を構成する挿入筒４３の一部を介して固定されている。ケーシング４１の先端側の内径は基端側の内径よりも小径であって、この小径部の形成に対応して、ケーシング４１の内周面には軸方向中央近傍にケーシング内段部４１１が形成されている。ケーシング４１の先端部における上側部分には、軸方向に延びる切欠部４１２が形成されている。ケーシング４１の外周面には、図３にも示すように、複数の面取り部４１３が形成されている。
【００４９】
図６に示すように、ワンタッチロック機構４２は、濾過フィルタＦの流入管部Ｆ１１が挿入される挿入筒４３の他、流入管部Ｆ１１の流入側環状溝Ｆ１１ａに係合可能な複数のロック用ボール４３４と、ロック用ボール４３４の位置を規制するロック筒４４（ロック部材）と、ロック筒４４をロック解除位置からロック位置へと切り替える切替筒４５（切替部材）と、を備える。
【００５０】
挿入筒４３は、径方向外側に突出して環状に延びるフランジ部４３１を、軸方向における中央近傍に備える。このフランジ部４３１は、ホルダ本体１０の前板部１１の前面に固定されており、フランジ部４３１の前面には、ケーシング４１の基端部が固定されている。フランジ部４３１を軸方向に貫通するように、後述する流入側ロック解除ピン６４が挿通されるピン挿通孔４３１ａが形成されている。このピン挿通孔４３１ａは、周方向に間隔を空けて、複数形成されている。
【００５１】
挿入筒４３は、フランジ部４３１よりも後側に、原水供給用チューブ（図示せず）を接続するためのチューブ接続管部４３２を備える。チューブ接続管部４３２は、ホルダ本体１０の前板部１１を貫通して後側へ延びている。チューブ接続管部４３２には、原水供給用チューブが接続された際に原水供給用チューブを外れにくくするための係止部４３２ａが、径方向外側に突出するように設けられている。
【００５２】
挿入筒４３の先端側（前側）の所定領域は薄肉部４３３であり、この薄肉部４３３の形成によって、挿入筒４３の外周面に薄肉側段部４３３ａが形成されている。薄肉部４３３の軸方向における中央近傍には、ロック用ボール４３４を収容するボール収容孔４３３ｂ（係合部材収容孔）が、薄肉部４３３の壁を貫通するように、周方向に間隔を空けて複数形成されている。
【００５３】
ロック用ボール４３４は、挿入筒４３の内周面から径方向内側に突出して、流入管部Ｆ１１の流入側環状溝Ｆ１１ａに係合する係合位置と、流入側環状溝Ｆ１１ａに係合しない非係合位置との間で、往復動可能に収容されている。後述するように、ロック用ボール４３４の位置は、ロック筒４４によって、非係合位置から係合位置へと切り替えられる。ロック用ボール４３４の直径は、薄肉部４３３の厚みと流入管部Ｆ１１の流入側環状溝Ｆ１１ａの深さとの和と同程度に設定されている。したがって、後述するように、ロック用ボール４３４が流入側環状溝Ｆ１１ａに係合した際に、ロック用ボール４３４は挿入筒４３の外周面から突出しないようになっている。
【００５４】
挿入筒４３の内周面におけるボール収容孔４３３ｂよりも基端側には、流入管部Ｆ１１が接続された際に漏水を抑制するためのシール材として、Ｏリング４３５が収容されている。挿入筒４３の軸方向におけるボール収容孔４３３ｂからＯリング４３５までの長さは、流入管部Ｆ１１の軸方向における流入側環状溝Ｆ１１ａから流入側段部Ｆ１１ｃまでの長さと同程度に設定されている。したがって、後述するように、流入管部Ｆ１１が挿入筒４３に挿入され、ロック用ボール４３４が流入側環状溝Ｆ１１ａに係合した際に、流入側段部Ｆ１１ｃがＯリング４３５に当接するようになっている。
【００５５】
ロック筒４４は、挿入筒４３におけるフランジ部４３１よりも先端側の外周面を囲むように、軸方向に往復動可能に配設されている。軸方向におけるロック筒４４の長さは、挿入筒４３の先端面とフランジ部４３１の前面との間の距離よりも短く設定されている。したがって、ロック筒４４の先端面と挿入筒４３の先端面とが同一面上に配置された図６の状態では、ロック筒４４の基端面とフランジ部４３１の前面との間に隙間が形成されている。
【００５６】
ロック筒４４の先端側の内周面には、ロック用突条部４４１が周方向全周に亘って設けられている。このロック用突条部４４１の突出方向先端には、ロック用ボール４３４を係合位置に固定するためのロック面４４１ａが軸方向に延びており、このロック面４４１ａは、挿入筒４３の薄肉部４３３の外周面に摺接している。ロック用突条部４４１の側面のうち軸方向基端側に面した側面は、軸方向基端側に行くほど径方向外側に位置するように傾斜する傾斜面４４１ｂである。図６の状態では、傾斜面４４１ｂは、挿入筒４３の薄肉側段部４３３ａから先端側に離れている。
【００５７】
ロック筒４４は、ロック面４４１ａがロック用ボール４３４よりも先端側に位置するロック解除位置と、ロック解除位置よりも基端側に配置され、ロック面４４１ａがロック用ボール４３４に径方向外側から当接するロック位置との間で、往復動可能である。ロック筒４４がロック解除位置にあるときには、ロック用ボール４３４が挿入筒４３の外周面から径方向外側に突出し、非係合位置に位置することが可能である。一方、ロック筒４４がロック位置にあるときには、ロック面４４１ａがロック用ボール４３４を径方向内側に押圧して、ロック用ボール４３４を係合位置から径方向外側に移動させないように固定する。そして、ロック筒４４がロック解除位置からロック位置に移動するときには、傾斜面４４１ｂが基端側に移動することで、径方向外側の非係合位置にあるロック用ボール４３４を径方向内側に押圧し、係合位置に移動させる。
【００５８】
ロック筒４４の外周面には、後述する移動コイルばね４８（弾性部材）の基端部を支持する環状支持突条部４４２が、ロック用突条部４４１よりも基端側に設けられている。
【００５９】
切替筒４５は、ロック筒４４の外周面を囲むように、軸方向に往復動可能に配設されている。切替筒４５の外周面は、ケーシング４１のケーシング内段部４１１よりも先端側の内周面に摺接して、軸方向に案内される。
【００６０】
切替筒４５の基端部には、ケーシング内段部４１１に基端側から当接して係合する環状係合突条部４５１が、径方向外側に突出するように設けられている。この環状係合突条部４５１がケーシング内段部４１１に係合することにより、切替筒４５がケーシング４１よりも先端側に外れないようになっている。切替筒４５の基端面とフランジ部４３１の前面との間は軸方向に離れており、両者の間に後述する固定コイルばね４７が配設される。
【００６１】
切替筒４５の先端部には、径方向内側へ延びる延出円板部４５２が設けられ、この延出円板部４５２の中央を貫通するように、流入管部Ｆ１１が挿通される開口部が形成されている。延出円板部４５２の先端面（濾過フィルタＦ側の端面）の下側部分は、後述するヘッド部４６が濾過フィルタＦの外周面に当接したときに、濾過フィルタＦの外周面に当接する当接面４５２ａ（当接部）である。当接面４５２ａは、ヘッド部４６から切替筒４５の周方向に離れた部分に位置している。
【００６２】
切替筒４５の延出円板部４５２の上側部分には、濾過フィルタＦの外周面に当接するヘッド部４６が、延出円板部４５２の先端面から、先端側に突出するように設けられている。ヘッド部４６の延出円板部４５２からの突出長さ（ヘッド部４６の先端面から先端側に突出した部分の軸方向の長さ）は、濾過フィルタＦの上側蓋部材Ｆ２及び下側蓋部材Ｆ３の外径と、ハウジングＦ１の上下方向中央部の外径との差の２分の１程度に設定されている。したがって、後述するように、流入管部Ｆ１１を挿入筒４３に挿入し、ヘッド部４６が濾過フィルタＦの外周面に当接したときに、当接面４５２ａも、濾過フィルタＦの外周面に当接するようになっている。
【００６３】
図３及び図６に示すように、ヘッド部４６の上部には、ヘッド部４６の先端から切替筒４５の軸方向における中央近傍まで、軸方向に延びるガイド用突条部４６１が設けられており、このガイド用突条部４６１がケーシング４１上部の切欠部４１２に挿入されている。外力が作用しない図６の状態では、ガイド用突条部４６１の軸方向基端側の部分は、切欠部４１２の基端側の部分よりも先端側に離れている。
【００６４】
切替筒４５の基端側の内周面には、ロック筒４４が切替筒４５よりも基端側へ外れることを防止するリングスプリング４５３が固定されている。リングスプリング４５３は、ロック筒４４の環状支持突条部４４２よりも軸方向基端側に位置しており、このリングスプリング４５３がロック筒４４の環状支持突条部４４２の軸方向基端側の側面に当接することで、ロック筒４４が切替筒４５よりも基端側へ外れないようになっている。切替筒４５におけるリングスプリング４５３よりも先端側の内周面には、後述する移動コイルばね４８を収容するためのばね収容凹部４５４が形成されている。
【００６５】
ワンタッチロック機構４２は、固定コイルばね４７と移動コイルばね４８とをさらに備える。
【００６６】
固定コイルばね４７は、挿入筒４３のフランジ部４３１と切替筒４５の基端部との間に配設され、伸縮方向一端部（図６における右端部）は挿入筒４３のフランジ部４３１の前面に当接し、他端部（図６における左端部）は切替筒４５の基端面に当接して、切替筒４５を先端側に押圧している。
【００６７】
移動コイルばね４８は、切替筒４５のばね収容凹部４５４に収容され、伸縮方向一端部（図６における左端部）がばね収容凹部４５４の先端側の面に当接し、他端部（図６における右端部）がロック筒４４の環状支持突条部４４２の軸方向先端側の面に当接して、ロック筒４４を基端側に押圧している。移動コイルばね４８のばね定数は、固定コイルばね４７のばね定数よりも、若干大きく設定されている。この移動コイルばね４８が弾性変形することにより、切替筒４５がロック筒４４に対して軸方向に相対的に移動することが可能である。
【００６８】
図６の状態では、固定コイルばね４７及び移動コイルばね４８の弾性力により、切替筒４５の延出円板部４５２の基端面は、挿入筒４３の先端面よりも先端側に離れた位置にある。また、ロック筒４４のロック面４４１ａはロック用ボール４３４よりも先端側に位置し、傾斜面４４１ｂはロック用ボール４３４に当接する位置にある。
【００６９】
図５に示すように、流出側接続部５０も、流入側接続部４０と同様に、ケーシング５１とワンタッチロック機構５２とを備え、ワンタッチロック機構５２は、挿入筒５３と、複数のロック用ボール５３４（係合部材）と、ロック筒５４（ロック部材）と、切替筒５５（切替部材）と、ヘッド部５６と、固定コイルばね５７と、移動コイルばね５８（弾性部材）と、を備えている。また、挿入筒５３は、ハウジングＦ１外に原水を排出するための排水用チューブ（図示せず）が接続されるチューブ接続管部５３２を備える。
【００７０】
連結棒６１は、前述した圧縮ばね３４と偏心カム３３との間で、上下方向に延びている。連結棒６１の上下方向中央部の前面には、圧縮ばね３４の後部が収容される円形凹部が形成されている。この円形凹部に収容された圧縮ばね３４が、連結棒６１を後方に押圧しているため、連結棒６１は、偏心カム３３の外周面に当接して偏心カム３３を後方に押圧している。
【００７１】
連結棒６１の上端部及び下端部にはそれぞれ、円板状の流入側連結板６２（連結部材）及び流出側連結板６３（連結部材）が上下に延びる姿勢で固定されている。図６に拡大して示すように、流入側連結板６２の中央には、チューブ接続管部４３２が挿通される流入側管部挿通孔６２ａが形成されている。流入側管部挿通孔６２ａの周囲には、ロック筒４４をロック位置からロック解除位置に向けて押圧する流入側ロック解除ピン６４（ロック解除部材）の基端部が固定されている。流入側ロック解除ピン６４は、前後方向に延びるように複数設けられ、ホルダ本体１０の前板部１１を貫通して、挿入筒４３のフランジ部４３１に形成されたピン挿通孔４３１ａに、軸方向に往復動可能に挿通されている。流入側ロック解除ピン６４の先端とロック筒４４の基端面とは対向しており、外力が作用しない図６の状態では、流入側ロック解除ピン６４の先端がロック筒４４の基端面よりも基端側に離れている。後述するように、作業者がノブ３１を回動させると、流入側ロック解除ピン６４がロック筒４４を前方に押圧し、ロック筒４４をロック解除位置に移動させるようになっている。
【００７２】
図５に示すように、流出側連結板６３は流入側連結板６２と上下対称の構造となっており、この流出側連結板６３には、ロック筒５４をロック位置からロック解除位置に向けて押圧する流出側ロック解除ピン６５が固定されている。
【００７３】
次に、上記のように構成されたホルダ１に濾過フィルタＦを保持する場合について説明する。まず、図７に示すように、ホルダ本体１０の長手方向と濾過フィルタＦのハウジングＦ１の長手方向とが一致するように、ホルダ１の前方に濾過フィルタＦを配置する。ここで、濾過フィルタＦの流入管部Ｆ１１及び流出管部Ｆ１２がホルダ本体１０に向かって突出し、流入側接続部４０及び流出側接続部５０がそれぞれ流入管部Ｆ１１及び流出管部Ｆ１２に対向するように、濾過フィルタＦを配置しておく。
【００７４】
この状態での流入側接続部４０の拡大断面図を図８に示す。この状態では、ロック筒４４は、固定コイルばね４７及びリングスプリング４５３によって、ロック面４４１ａがロック用ボール４３４よりも先端側に位置するロック解除位置に位置しているため、ロック用ボール４３４は、挿入筒４３の内周面から径方向内側に突出する係合位置と、係合位置よりも径方向外側にある非係合位置との間で、挿入筒４３の径方向に往復動可能である。
【００７５】
次に、図９に示すように、濾過フィルタＦをホルダ本体１０側に近付け、流入管部Ｆ１１の先端部分（後側部分）を流入側接続部４０の挿入筒４３に挿入する。このとき、流入側環状平坦部Ｆ１１ｂがロック用ボール４３４に挿入筒４３の径方向内側から当接して、ロック用ボール４３４を径方向外側に向けて押し出す。これにより、ロック用ボール４３４が挿入筒４３の内周面から径方向内側に突出せず、挿入筒４３の外周面から径方向外側に突出するように押し出される。すると、ロック用ボール４３４がロック筒４４の傾斜面４４１ｂを径方向外側かつ先端側に押圧し、ロック筒４４が先端側に移動する。ロック筒４４が先端側に移動すると、ロック筒４４の環状支持突条部４４２と切替筒４５のばね収容凹部４５４の先端側の面との間に配設された移動コイルばね４８が圧縮されるため、この移動コイルばね４８によって、切替筒４５が先端側に押圧されることになるが、切替筒４５の環状係合突条部４５１がケーシング４１のケーシング内段部４１１に基端側から当接しているため、切替筒４５が先端側に移動してケーシング４１よりも先端側に外れてしまうことはない。
【００７６】
さらに濾過フィルタＦをホルダ本体１０側に近付けると、図１０に示すように、ヘッド部４６の先端面がハウジングＦ１の外周面に当接して基端側に押圧されるとともに、切替筒４５の当接面４５２ａが下側蓋部材Ｆ３の外周面に当接して基端側に押圧され、安定して切替筒４５が基端側に押圧される。このとき、濾過フィルタＦが切替筒４５に作用する力によって、切替筒４５は、挿入筒４３の基端側（軸方向）に移動して、固定コイルばね４７及び移動コイルばね４８の先端側部分を基端側に押圧する。しかし、このときもロック用ボール４３４は、流入管部Ｆ１１の流入側環状平坦部Ｆ１１ｂに径方向内側から当接されて、径方向外側に向かって押し出されているため、ロック用ボール４３４は挿入筒４３の外周面から径方向外側に突出する非係合位置に位置したままである。よって、ロック用ボール４３４がロック筒４４の傾斜面４４１ｂに基端側かつ径方向内側から当接するため、ロック筒４４は基端側に移動することはできず、ロック解除位置に留められる。このとき、切替筒４５のばね収容凹部４５４の軸方向先端側の面とロック筒４４の環状支持突条部４４２との間に配設された移動コイルばね４８が圧縮されることにより、切替筒４５はロック筒４４に対して相対的に移動可能であるため、切替筒４５は固定コイルばね４７及び移動コイルばね４８を圧縮しながら基端側に移動することになり、固定コイルばね４７及び移動コイルばね４８が弾性力を蓄える。
【００７７】
さらに濾過フィルタＦをホルダ本体１０側に近付けると、図１１に示すように、流入管部Ｆ１１の流入側段部Ｆ１１ｃが挿入筒４３の内側のＯリング４３５に前側から（挿入筒４３の先端側から）当接するとともに、軸方向におけるロック用ボール４３４の位置と、流入管部Ｆ１１の流入側環状溝Ｆ１１ａの位置が一致して、流入管部Ｆ１１の流入側環状溝Ｆ１１ａの位置がロック用ボール４３４に対応する挿入位置となる。この状態では、ロック用ボール４３４が非係合位置から径方向内側に移動して、流入管部Ｆ１１の流入側環状溝Ｆ１１ａに係合することが可能であり、ロック用ボール４３４が流入管部Ｆ１１の流入側環状溝Ｆ１１ａに係合すれば、ロック解除位置にあるロック筒４４は基端側のロック位置に移動することが可能である。ここで、移動コイルばね４８は、作業者が濾過フィルタＦをホルダ本体１０側に近付ける力を受けて圧縮され、ロック筒４４の環状支持突条部４４２を基端側に押圧しているため、この移動コイルばね４８に蓄えられた弾性力が解放されることにより、ロック筒４４がロック解除位置から基端側に移動する。このとき、ロック筒４４の傾斜面４４１ｂも基端側に移動しているため、傾斜面４４１ｂによって径方向内側に押圧されたロック用ボール４３４は、非係合位置から係合位置まで径方向内側に移動して、流入管部Ｆ１１の流入側環状溝Ｆ１１ａに係合する。すると、移動コイルばね４８に蓄えられた弾性力によりロック筒４４はさらに基端側のロック位置まで確実に移動して、ロック筒４４のロック面４４１ａがロック用ボール４３４に当接し、径方向内側に押圧するようになる。
【００７８】
この状態では、ロック用ボール４３４はロック筒４４のロック面４４１ａによって径方向内側の係合位置に固定されているため、径方向内側の係合位置から径方向外側の非係合位置に移動することはできない。よって、濾過フィルタＦの流入管部Ｆ１１は挿入筒４３から抜けられず、濾過フィルタＦは前方に移動できない。したがって、この状態では、切替筒４５の基端部は固定コイルばね４７によって先端側に押圧されているが、切替筒４５の当接面４５２ａ及びヘッド部４６の先端面は濾過フィルタＦの外周面に当接しているため、切替筒４５も先端側すなわち前方に移動することができない。したがって、流入管部Ｆ１１が流入側接続部４０に確実に接続された接続状態となる。またこのとき、流入管部Ｆ１１の流入側段部Ｆ１１ｃが挿入筒４３の内側のＯリング４３５に当接しているため、挿入筒４３のチューブ接続管部４３２を通って流入管部Ｆ１１に流入する原水は、挿入筒４３と流入管部Ｆ１１との間の隙間から漏水しないようになっている。
【００７９】
また、流出側接続部５０についても、流入側接続部４０と同様に、濾過フィルタＦをホルダ本体１０側に近付けると、流出管部Ｆ１２が流出側接続部５０に確実に接続される。したがって、濾過フィルタＦをホルダ本体１０に近付ける方向の力を加えるだけで、濾過フィルタＦの流入管部Ｆ１１及び流出管部Ｆ１２が流入側接続部４０及び流出側接続部５０に同時に接続され、濾過フィルタＦをホルダ１に確実かつ簡便に保持することができる。
【００８０】
次に、ホルダ１に保持された濾過フィルタＦをホルダ１から分離する場合について説明する。まず、図５で示したように、回動軸３２は、偏心カム３３の中心からずれた位置に固定されており、外力が作用しない状態では、偏心カム３３は、回動軸３２が偏心カム３３の中心よりも前側に位置するように回動して停止している。この状態で、図７等に示すノブ３１を反時計回りに回動させると、図１２に示すように、回動軸３２を介して偏心カム３３も反時計回りに回動し、偏心カム３３の中心は前側に移動しつつ上側に移動して、偏心カム３３の外周面が連結棒６１を前方に押圧する。この押圧力によって、連結棒６１が前方に移動すると、圧縮ばね３４が圧縮されて弾性力を蓄えるとともに、連結棒６１に固定された流入側連結板６２及び流出側連結板６３も前方に移動する。
【００８１】
このとき、図１３に拡大して示すように、流入側連結板６２に支持された流入側ロック解除ピン６４も、前方すなわち先端側へ移動する。そして、流入側ロック解除ピン６４の先端がロック筒４４の基端面に当接し、ロック筒４４は先端側に押圧されて、基端側のロック位置から先端側へ移動する。ロック筒４４がロック解除位置まで先端側に移動すると、ロック面４４１ａがロック用ボール４３４よりも先端側に位置した状態になるため、ロック面４４１ａに径方向外側から当接されて係合位置に固定されていたロック用ボール４３４が、挿入筒４３の外周面から径方向外側に突出する非係合位置へと移動することが可能となる。ロック用ボール４３４が非係合位置に移動すると、流入管部Ｆ１１が挿入筒４３から抜ける方向に移動することが可能であり、濾過フィルタＦ及び切替筒４５が前方に移動することも可能である。ここで固定コイルばね４７は、作業者が濾過フィルタＦをホルダ本体１０側に近付ける力を受けて圧縮され、切替筒４５の基端面を先端側に押圧しており、かつ移動コイルばね４８は、流入側ロック解除ピン６４がロック筒４４を先端側に押圧する力を受けて圧縮され、切替筒４５のばね収容凹部４５４の先端側の面を先端側に押圧しているため、固定コイルばね４７及び移動コイルばね４８に蓄えられた弾性力が解放されることにより、切替筒４５が先端側に押圧されて移動する。同時に、濾過フィルタＦの外周面が当接面４５２ａ及びヘッド部４６によって前方に押圧され、濾過フィルタＦが前方に移動して、流入管部Ｆ１１が挿入筒４３から抜ける方向に移動する。すると、ロック用ボール４３４が流入側環状溝Ｆ１１ａの側面に沿って挿入筒４３の径方向外側へ押し出され、非係合位置に移動するとともに、ロック用ボール４３４が流入側環状平坦部Ｆ１１ｂに径方向内側から当接されて径方向外側に押圧される。
【００８２】
そして、図１４に示すように、固定コイルばね４７及び移動コイルばね４８の弾性力によって、切替筒４５がさらに先端側に移動して、切替筒４５の環状係合突条部４５１がケーシング４１のケーシング内段部４１１に基端側から当接して係合する。すると、切替筒４５はこの位置よりも先端側に移動できず、停止する。この状態では、ロック用ボール４３４が非係合位置にあるため、流入管部Ｆ１１を流入側接続部４０から抜くことが可能である。
【００８３】
そして、図１５に示すように、作業者が濾過フィルタＦを前方に移動させると、流入管部Ｆ１１が流入側接続部４０から完全に抜けた状態となる。このとき、作業者がノブ３１（図７等に示す）から手を離している場合には、圧縮ばね３４（図５及び図１２に示す）に蓄えられた弾性力により、連結棒６１が後方に移動し、流入側連結板６２、流出側連結板６３、流入側ロック解除ピン６４及び流出側ロック解除ピン６５も後方に移動する。
【００８４】
以上の一連の動きは、流入側接続部４０だけでなく、流出側接続部５０でも同時に同様に起こっており、この結果、濾過フィルタＦがホルダ１から分離される。したがって、ホルダ１のノブ３１を回動させるだけで、流入側接続部４０と流入管部Ｆ１１との接続及び流出側接続部５０と流出管部Ｆ１２との接続を同時に解除して、濾過フィルタＦをホルダ１から分離することができる。なお、上記ではノブ３１を反時計回りに回動させているが、ノブ３１を時計回りに回動させて、偏心カム３３を回動させてもよい。このとき、偏心カム３３の中心は前側に移動しつつ下側に移動して、偏心カム３３の外周面が連結棒６１を前方に押圧するため、上記と同様に、流入側接続部４０と流入管部Ｆ１１との接続及び流出側接続部５０と流出管部Ｆ１２との接続を同時に解除することができる。
【００８５】
以上説明したように、この実施形態に係るホルダ１によれば、流入管部Ｆ１１及び流出管部Ｆ１２がそれぞれ挿入筒４３，５３に挿入される時に濾過フィルタＦが切替筒４５，５５に作用する力によって、ロック筒４４，５４が、それぞれロック解除位置からロック位置に移動するので、カプラを両手で操作することやロックレバーの操作等の煩雑な作業をすることなく、濾過フィルタＦをホルダ１に確実かつ簡便に保持することができる。
【００８６】
また、切替筒４５に対するロック筒４４の相対的な移動を許容する移動コイルばね４８を流入側接続部４０に設けたので、流入管部Ｆ１１及び流入側接続部４０の寸法に誤差があっても、流入管部Ｆ１１を流入側接続部４０にスムーズに接続できる。
【００８７】
また、ロック位置にあるロック筒４４をロック解除位置に向けて押圧する流入側ロック解除ピン６４を設けたので、濾過フィルタＦをホルダ１から簡便に分離することができる。
【００８８】
また、流入側ロック解除ピン６４及び流出側ロック解除ピン６５を、連結棒６１、流入側連結板６２及び流出側連結板６３を介して互いに連結し、作業者が連結棒６１をノブ３１で操作できるようにしたので、ノブ３１を操作するだけで、流入側接続部４０と流入管部Ｆ１１との接続及び流出側接続部５０と流出管部Ｆ１２との接続を解除し、濾過フィルタＦをホルダ１から分離することができる。
【００８９】
また、切替筒４５の周方向に離れたヘッド部４６及び当接面４５２ａが濾過フィルタＦの外周面に当接するので、切替筒４５が安定して流入管部Ｆ１１の挿入方向へ移動して、ロック筒４４にロック解除位置からロック位置へ移動するための力を伝えることができる。
【００９０】
（その他の実施形態）
前述の実施形態では、操作部は回動可能なノブ３１であり、ノブ３１の操作によって偏心カム３３を回動させて連結棒６１を前方に移動させているが、前後方向に往復動可能なレバー（図示せず）を連結棒６１に取り付けて、レバーの操作により連結棒６１を前方に移動させてもよい。
【００９１】
また、前述の実施形態では、流入側接続部４０と流出側接続部５０との間の離間距離は固定されているが、この離間距離を調整するための距離調整手段（図示せず）を設けてもよい。例えば、ホルダ１における流入側接続部４０と流出側接続部５０との間にスライド部（図示せず）を設け、流入側接続部４０と流出側接続部５０との間の距離を調整可能としてもよい。この場合、形状や大きさの異なる濾過フィルタでも、同じホルダ１で保持することができる。
【００９２】
また、前述の実施形態において、ハウジングＦ１の長手方向と鉛直線とのなす角度を調整するための角度調整部（図示せず）を、ホルダ１に設けてもよい。この場合、例えば濾過フィルタＦのハウジングＦ１内に気泡がたまらないような角度に調整できるため、濾過面積を広く保つことができるとともに、液体の流路内の圧力変動に起因する透析装置のエラーの発生を抑制することができる。
【００９３】
また、前述の実施形態において、流入管部Ｆ１１及び流出管部Ｆ１２が流入側接続部４０及び流出側接続部５０に接続されているか否かを示すインジケータ（図示せず）をホルダ１に設けてもよい。この場合、流入管部Ｆ１１及び流出管部Ｆ１２が接続状態にあるか否かを作業者が簡単かつ確実に確認できるため、流入管部Ｆ１１及び流出管部Ｆ１２の少なくとも一方が非接続状態のときに誤って濾過フィルタＦが使用されてしまい、漏水が起こることを回避することができる。
【００９４】
また、前述の実施形態において、流入側接続部４０及び流出側接続部５０を保護するための保護カバー（図示せず）を、ホルダ１に対して着脱可能に取り付けてもよい。この場合、流入側接続部４０及び流出側接続部５０に異物が付着してハウジングＦ１内に流通する液体が汚染されることを抑制できる。また、不慮の事故による濾過フィルタＦ及びホルダ１の損傷を緩和することができる。
【産業上の利用可能性】
【００９５】
以上説明したように、本発明に掛かるホルダは、例えば透析装置に取り付ける精密濾過フィルタ等を保持する際に使用することができる。
【符号の説明】
【００９６】
１        ホルダ
１０      ホルダ本体
２０      カバー部
３１      ノブ（操作部）
３２      回動軸
３３      偏心カム
３４      圧縮ばね
４０      流入側接続部
４１      ケーシング
４２      ワンタッチロック機構
４３      挿入筒
４３３ｂ  ボール収容孔（係合部材収容孔）
４３４    ロック用ボール（係合部材）
４４      ロック筒（ロック部材）
４４１ａ  ロック面
４４１ｂ  傾斜面
４５      切替筒（切替部材）
４５２ａ  当接面（当接部）
４６      ヘッド部
４７      固定コイルばね
４８      移動コイルばね（弾性部材）
５０      流出側接続部
５１      ケーシング
５２      ワンタッチロック機構
５３      挿入筒
５３２    チューブ接続管部
５３４    ロック用ボール（係合部材）
５４      ロック筒（ロック部材）
５５      切替筒（切替部材）
５６      ヘッド部
５７      固定コイルばね
５８      移動コイルばね（弾性部材）
６１      連結棒（連結部材）
６２      流入側連結板（連結部材）
６３      流出側連結板（連結部材）
６４      流入側ロック解除ピン（ロック解除部材）
６５      流出側ロック解除ピン（ロック解除部材）
Ｆ        濾過フィルタ
Ｆ１      ハウジング
Ｆ１１    流入管部（流通管部）
Ｆ１１ａ  流入側環状溝（ロック用凹部）
Ｆ１２    流出管部（流通管部）
Ｆ１２ａ  流出側環状溝（ロック用凹部）
Ｆ２      上側蓋部材
Ｆ３      下側蓋部材
Ｆ４      中空糸膜（濾過材）
【図１】
2015188667.tif 000003
【図２】
2015188667.tif 000004
【図３】
2015188667.tif 000005
【図４】
2015188667.tif 000006
【図５】
2015188667.tif 000007
【図６】
2015188667.tif 000008
【図７】
2015188667.tif 000009
【図８】
2015188667.tif 000010
【図９】
2015188667.tif 000011
【図１０】
2015188667.tif 000012
【図１１】
2015188667.tif 000013
【図１２】
2015188667.tif 000014
【図１３】
2015188667.tif 000015
【図１４】
2015188667.tif 000016
【図１５】
2015188667.tif 000017